(57)【特許請求の範囲】
【請求項１】
情報ストリームを取得する取得部と、
前記取得部により取得された情報ストリームを再エンコードすることで再エンコード済みの情報ストリームを生成する圧縮部と、
前記取得部により取得された情報ストリームと前記圧縮部により生成された再エンコード済みの情報ストリームとを併せて記憶媒体に記録する記録部と、
前記記録部による前記再エンコード済みの情報ストリームの前記記憶媒体への記録が完了するのに応じて、前記再エンコード済みの情報ストリームと併せて前記記憶媒体に記録された情報ストリームを前記記憶媒体から削除する削除部と、
前記記録部による前記情報ストリームと前記再エンコード済みの情報ストリームとの前記記憶媒体への記録が行われている際に、前記記憶媒体に記憶されている情報ストリームの再生指示を受け付けた場合、前記取得部により取得された情報ストリームの再エンコードを停止するよう前記圧縮部を制御する制御部と、を備える、
記録装置。
【請求項２】
情報ストリームを取得し、
前記取得した情報ストリームを再エンコードすることで再エンコード済みの情報ストリームを生成し、
前記取得した情報ストリームと、前記生成した再エンコード済みの情報ストリームとを併せて記憶媒体に記録し、
前記生成した再エンコード済みの情報ストリームの記憶媒体への記録が完了するのに応じて、前記生成した再エンコード済みの情報ストリームと併せて前記記憶媒体に記録された前記取得した情報ストリームを前記記憶媒体から削除し、
前記取得した情報ストリームと前記生成した再エンコード済みの情報ストリームとの記憶媒体への記録が行われている際に、前記記憶媒体に記憶されている情報ストリームの再生指示を受け付けた場合、前記取得した情報ストリームの再エンコードを停止する、
記録方法。
【発明の詳細な説明】
【技術分野】
【０００１】
本発明は、デジタルテレビ放送などデータストリームの録画と再生を同時に行う装置及び方法に関する。
【背景技術】
【０００２】
デジタルテレビ放送では、映像信号をＭＰＥＧ符号化方法で圧縮符号化した圧縮データストリームを伝送することで、限られた伝送容量に大量および高品質な映像データを放送することが可能となっている（非特許文献１参照）。
【０００３】
デジタルテレビ放送データを記録媒体に記録するには、放送された放送ストリームをそのまま記録するストリーム記録と放送ストリームを圧縮符号化して記録するエンコード記録とがある。ストリーム記録は放送品質と同じ高画質、高音質で記録することが可能であるが、データのビットレートが、ＢＳ放送では約２４Ｍｂｐｓ、地上波デジタル放送では約１７Ｍｂｐｓと高いために大きな記録容量が必要になる。一方、エンコード記録は放送ストリームをいったんデコードし、デコードしたデータをＭＰＥＧ符号化などで再圧縮する。再圧縮することによる符号化ノイズは発生するが、ビットレートを８Ｍｂｐｓ程度に圧縮することでＢＳ放送の場合は１／３、地上波デジタル放送の場合は１／２の記録容量で済むことになる。つまり、エンコード記録は長時間記録が可能になる。
【０００４】
また、放送記録中に光ディスクあるいはハードディスクなどに記録されたデータ、ＤＶＤ、および、ブルーレイディスクなどを再生することも実現されている。特許文献１はディスク上の記録媒体への録画と再生を同時に行うことを可能とする方法の一例を示している。
【０００５】
また、エンコード記録にはデコーダとエンコーダが必要であり、再生するためにはデコーダが必要である。つまり、エンコード記録しながら、再生するためには、デコーダが２つ必要になる。そこで、特許文献２では１つのデコーダしか持たない記録再生装置において、記録と再生を同時に行う方法を提案している。これは、エンコード記録中に再生を実行すると、エンコード記録を停止しストリーム記録に切り替えることで、エンコード記録に試用していたデコーダを再生処理に使用することができる。
【特許文献１】特開２００６−３３１６３６号公報
【特許文献２】特開２００６−２１６１５３号公報
【非特許文献１】ＩＳＯ／ＩＥＣ  １３８１８−２（ＭＰＥＧ２ビデオ）
【発明の開示】
【発明が解決しようとする課題】
【０００６】
しかしながら、エンコード記録中に再生動作を実行する際にエンコード記録からストリーム記録に切り替えると、切り替え点において記録されるデータは不連続になり、連続的な再生ができないという課題を有していた。また、エンコード記録を継続したまま再生を行うためにはデコーダが２つ必要となり高価に装置になってしまう。
【課題を解決するための手段】
【０００７】
本発明にかかる記録装置は、情報ストリームを取得する取得部と、前記取得部により取得された情報ストリームを再エンコードすることで再エンコード済みの情報ストリームを生成する圧縮部と、前記取得部により取得された情報ストリームと前記圧縮部により生成された再エンコード済みの情報ストリームとを併せて記憶媒体に記録する記録部と、前記記録部による前記再エンコード済みの情報ストリームの前記記憶媒体への記録が完了するのに応じて、前記再エンコード済みの情報ストリームと併せて前記記憶媒体に記録された情報ストリームを前記記憶媒体から削除する削除部と、前記記録部による前記情報ストリームと前記再エンコード済みの情報ストリームとの前記記憶媒体への記録が行われている際に、前記記憶媒体に記憶されている情報ストリームの再生指示を受け付けた場合、前記取得部により取得された情報ストリームの再エンコードを停止するよう前記圧縮部を制御する制御部と、を備える。
【０００８】
また、本発明にかかる記録方法は、情報ストリームを取得し、前記取得した情報ストリームを再エンコードすることで再エンコード済みの情報ストリームを生成し、前記取得した情報ストリームと、前記生成した再エンコード済みの情報ストリームとを併せて記憶媒体に記録し、前記生成した再エンコード済みの情報ストリームの記憶媒体への記録が完了するのに応じて、前記生成した再エンコード済みの情報ストリームと併せて前記記憶媒体に記録された前記取得した情報ストリームを前記記憶媒体から削除し、前記取得した情報ストリームと前記生成した再エンコード済みの情報ストリームとの記憶媒体への記録が行われている際に、前記記憶媒体に記憶されている情報ストリームの再生指示を受け付けた場合、前記取得した情報ストリームの再エンコードを停止する。
【発明の効果】
【０００９】
本発明によれば、エンコード記録と再生とに使用するデコーダ資源を共用した上で、記録を中断することなく、記録中にも再生を実行することができる。これは、ストリーム記録とエンコード記録を同時に行うので、記録中に再生を開始する際にエンコード記録を停止しても、ストリーム記録は継続しているため、連続したストリームを記録することができるのである。
【００１０】
また、再生動作を行った場合はエンコード記録データを削除し、再生動作を行わなかった場合は、ストリーム記録データを削除するように制御するので、記録容量を最小限に抑えた効率的な記録を行うことができる。
【発明を実施するための最良の形態】
【００１１】
（実施の形態）
以下、添付の図面を参照して本発明の実施の形態について説明する。
【００１２】
図１は本発明の実施の形態である記録再生装置の構成を示すブロック図である。まず、テレビ放送波を記録媒体１０５への記録処理について説明する。デジタルテレビチューナー１０１で受信した放送ストリームはストリーム記録手段１０２によって記録媒体１０５に直接記録される。また、放送ストリームはセレクタ１０７によってデコーダ１０８にも同時に供給される。デコーダ１０８によってデコード処理された放送データはセレクタ１０９を介してエンコーダ１１０に入力される。エンコーダ１１０はＭＰＥＧ符号化を行うことで圧縮符号化しエンコードストリームを出力する。エンコードストリームは記録手段１１１により記録媒体１０５に記録される。つまり、放送ストリームを直接記録するとともにエンコードストリームを同時に記録媒体１０５に記録する。なお、セレクタ１０７、１０９は制御手段１１４によって制御される。
【００１３】
次に、放送波の記録中にディスク１０６を再生する方法について説明する。再生を開始する前に、デコーダ１０８、エンコーダ１１０、および記録手段１１１を停止し、エンコード記録処理を停止する。このとき、ストリーム記録手段は記録処理を継続する。記録処理を停止した後、セレクタ１０７は読取手段１１２とでコーダ１０８とを接続するように経路選択し、セレクタ１０９はデコーダ１０８の出力をテレビモニタ１１３に出力するように経路選択する。ディスク１０６に記録された記録データは読取手段１１２により読みとられ、セレクタ１０７を介してデコーダ１０８に供給される。デコードされたデータはセレクタ１０９を介してテレビモニタ１１３に出力される。デコーダ１０８はエンコード記録処理と再生処理との両方に使用する。このようにストリーム記録とエンコード記録を同時に行い、記録中に再生を開始する場合はエンコード記録を停止し、エンコード記録に使用していたデコーダ１０８を再生処理に用いることで、１つのデコーダ資源で録画中の再生を実現することができる。また、ストリーム記録は継続しているので連続した記録も行うことができる。
【００１４】
記録中に再生を開始した場合、エンコード記録を停止するまでに記録したエンコードストリームは削除する。一方、再生を行うことなく記録処理が終了した場合は、記録媒体１０５はストリーム記録した放送ストリームとエンコードストリームの両方が記録されているが、このうちストリーム記録した放送ストリームを削除する。こうすることで記録容量を最小限に抑えた効率的な記録を行うことができる。
【００１５】
図２は本発明の実施の形態である記録再生方法を示したフローチャートである。以下、各処理ステップを詳細に説明する。
【００１６】
まず、記録開始２００が指示されると、ステップ２０１でストリーム記録を開始するとともに、ステップ２０６でエンコード記録を開始する。ストリーム記録処理はステップ２０２で記録終了時刻に達するまで記録を継続し、記録終了時刻になるとステップ２０３でストリーム記録を終了する。次にステップ２０４にて記録中に再生処理を実施したかどうかを判断し、再生した場合はステップ２１３に進み記録処理を終了する。一方、記録中に再生せずに記録終了した場合は、ステップ２０６においてストリーム記録により記録したストリーム記録データを削除する。
【００１７】
エンコード記録処理は入力された情報ストリームをデコードした後、圧縮エンコード処理して記録する。ステップ２０７は再生処理を開始するか否かを判断する。また、ステップ２０８は記録終了時刻に達したことを判定し、記録終了時刻に達するとステップ２０９でエンコード記録を終了する。ただし、記録中に再生処理を開始する場合、ステップ２１０によりエンコード記録の終了処理を行い、ステップ２１１でエンコード記録した記録データを削除する。その後、ステップ２１２で記録データをデコードし再生を開始する。
【００１８】
このようにエンコード処理に用いていたデコード資源を再生処理にまわすことで、１つのデコード資源で処理することができ、処理負荷を軽減することができる。なお、エンコード記録処理は中止するが、ストリーム記録処理は継続しているので連続した記録も行うことができる。
【００１９】
また、記録中に再生を開始した場合は、エンコード記録を停止するまでに記録したエンコード記録データを削除し、再生を行うことなく記録処理が終了した場合は、ストリーム記録データを削除する。このようにいずれか一方の記録データを削除することで記録容量を最小限に抑えた効率的な記録を行うことができる。
【００２０】
なお、再生メディアとしてディスク１０６はＤＶＤ、ＣＤなどでもよいが限定されるものではなく、記録媒体１０５に記録されている記録済みデータを再生する場合も同様である。
【００２１】
また、ブルーレイディスクのように２つのストリームを同時にデコードして再生する機能のあるディスクを再生するには２つのデコーダが必要である。したがって、エンコード記録中にブルーレイディスクを再生するためには、エンコード記録用に１つのデコーダ、ブルーレイディスク再生用に２つのデコーダの計３つのデコーダが必要になるが、前述の実施例と同様にエンコード記録とストリーム記録を同時に行うことで２つのデコーダのみで記録と再生を同時に実行することができる。つまり、２つのデコーダのうち１つを用いてエンコード記録を行うとともにストリーム記録を行う。ブルーレイディスクを再生する場合は、エンコード記録を停止し、エンコード記録に使用していたデコーダを再生処理に使用する。ストリーム記録は継続しているので記録は中断することなく連続的に行うことができる。また、記録終了時にストリーム記録した放送ストリームかエンコードストリームのどちらかを削除することで記録容量に関しても効率的な記録を行うことができる。このように２つのデコーダを備えるだけで、連続した記録と再生を同時に行うことが可能となる。
【産業上の利用可能性】
【００２２】
本発明にかかる記録再生装置、および記録再生方法は、少ないデコーダ資源の上で連続した記録を行うと同時に再生もできるため、低価格かつ高機能な記録再生装置に適用できる。
【図面の簡単な説明】
【００２３】
【図１】本発明の実施の形態の記録再生装置の構成を示すブロック図
【図２】本発明の実施の形態の記録再生方法を示すフローチャート
【符号の説明】
【００２４】
１０１    デジタルテレビチューナー
１０２    ストリーム記録手段
１０３    エンコード記録手段
１０４    再生手段
１０５    記録媒体
１０６    ディスク
１０７、１１０    セレクタ
１０８    デコーダ
１１０    エンコーダ
１１１    記録手段
１１２    読取手段
１１３    テレビモニタ
１１４    制御手段
【図１】
0005145915.tif 000002
【図２】
0005145915.tif 000003